(57)【要約】【課題】  被作業線に所定値以上の張力が作用したことを簡単な構成で検知できる張線器を提供する。【解決手段】  張線器は、連結金具５１を取り付けた枠体２の捲取ドラム８にベルト７をその基端側において捲き取り、繰り出し可能に止着し、中間部で移動滑車３４に巻回し、ベルト７の先端側が一端に止着された第１リンク５４と、一端が連結ピン５６で第１リンク５４に連結され、他端がコ字状金具部５２に枢支された第２リンク５５とを備え、ベルト７の張力が所定値以上になると破断する破断用螺子体５７を第１、第２リンク５４、５５を貫通させて設けた。【選択図】  図２
2006130595.tif 000002
【特許請求の範囲】
【請求項１】
連結金具を取り付けた本体枠の捲取ドラムに可撓体をその基端側において捲き取り、繰り出し可能に止着し、中間部で移動滑車に巻回し、前記可撓体の先端側が一端に止着された第１リンクと、一端が連結ピンで前記第１リンクに連結され、他端が前記連結金具に枢支された第２リンクとを備え、前記可撓体の張力が所定値以上になると破断する破断用棒状体を前記第１、第２リンクを貫通させて設けたことを特徴とする張線器。
【請求項２】
破断用棒状体は第１、第２リンクのうちの少なくとも一方に螺着される請求項１記載の張線器。
【発明の詳細な説明】
【技術分野】
【０００１】
本発明は、電線等の被作業線を張設する張線作業に用いられる張線器に関する。
【背景技術】
【０００２】
実公平５−２５８１９号公報には従来の張線器が開示されている。この従来の張線器は、枠体に回転可能に支持された捲取ドラムをハンドルで回転操作して移動滑車を引き寄せるように構成し、接続具を枠体に移動可能に支持させるとともに、枠体と前記接続具との間にこの接続具をこれに作用する張引力と逆方向に付勢するバネを介装する一方、通常時非噛み合い状態にあるラチェットホイールとラチェット爪とを配設し、このラチェットホイールを捲取ドラムと同体回転するように設けると共に前記ラチェット爪をラチェットホイールと接続具との中間位置において枠体に枢支し、且つ接続具がこれに作用する引張力が所定値以上になって所定量移動するとき、ラチェット爪をラチェットホイールに噛み合わせ、捲取ドラムの捲取方向への回転を阻止する伝達手段を設けている。
【０００３】
上記構成によれば、通常時はラチェットホイールとラチェット爪とは非噛み合い状態にあって捲取ドラムの捲取方向への回転はフリーであり、ハンドルの回転操作によって張線作業を続行することができる。張線作業の進行につれて、枠体にバネを介して保持された接続具は、これに作用する引張力の増大に伴って、バネを変形させつつ枠体に対して相対移動する。
【０００４】
前記引張力が所定値以上になってこの接続具が所定量移動すると、伝達手段によってラチェット爪がラチェットホイールに噛み合う。これによって捲取ドラムの捲取方向への回転は阻止されるので、ハンドルによる捲取方向への回動操作を不能にすることができる。
【０００５】
この結果、被作業線の張力が所定値以上になると張線作業の続行を不能とすることができるので、被作業線に過負荷を与えることを未然に防止することができる。
【特許文献１】実公平５−２５８１９号公報（実用新案登録請求の範囲、第１図ないし第５図）
【発明の開示】
【発明が解決しようとする課題】
【０００６】
しかしながら前記従来の構成では、所定値以上の張力が被作業線に作用したことを検知するために、接続具、伝達手段、ラチェット爪およびラチェットホイールといった機構を追加して設ける必要があるので、張線器の構成が複雑になるという問題がある。
【０００７】
本発明の目的は、上記従来例の問題点を解決し得る張線器を提供することにある。
【課題を解決するための手段】
【０００８】
本発明の張線器は、連結金具を取り付けた本体枠の捲取ドラムに可撓体をその基端側において捲き取り、繰り出し可能に止着し、中間部で移動滑車に巻回し、前記可撓体の先端側が一端に止着された第１リンクと、一端が連結ピンで前記第１リンクに連結され、他端が前記連結金具に枢支された第２リンクとを備え、前記可撓体の張力が所定値以上になると破断する破断用棒状体を前記第１、第２リンクを貫通させて設けたことを特徴とする。
【０００９】
上記構成によれば、捲取ドラムで捲き取られる可撓体により第１リンクに引張力が加わり、第１リンクと第２リンクとを貫通する破断用棒状体にせん断力が作用する。被作業線の張力が増大して可撓体の張力が所定値以上になると、破断用棒状体は前記せん断力により破断する。このため、第２リンクは可撓体の張力方向との角度が小さくなる方向に連結金具の枢支軸を中心として回動し、第１リンクは連結ピンの円弧状軌跡に沿って可撓体の張力方向との角度が小さくなる方向に運動して、その他端が連結金具と当接して停止する。
【００１０】
このように可撓体の張力が所定値以上になり、破断用棒状体が破断すると破断音が発生し、また破断の手ごたえが感じられるので、過大な張力の発生を、聴覚および触覚を通じて容易に認識することができる。また破断用棒状体が破断すると第１リンクと第２リンクとのなす角度が広がるので、過大な張力の発生を、視覚を通じてはっきりと認識することができる。
【００１１】
破断用棒状体は第１、第２リンクのうちの少なくとも一方に螺着されることが好ましい。少なくとも一方に螺着されていれば、少なくとも一方に残った破断後の棒状体を容易に取り外し、予備の破断用棒状体に取り替えて再び安全装置として使用できるからである。第１、第２リンクの双方に螺着されていれば、破断しても破断後の破断用棒状体は第１、第２リンクにそれぞれ残っており、張線作業現場に飛び散ることがないので、より好ましい。
【発明の効果】
【００１２】
本発明によれば、被作業線に所定値以上の張力が作用したことを簡単な構成で検知できる張線器を提供することができる。
【発明を実施するための最良の形態】
【００１３】
図１は本実施の形態に係る張線器１００の平面図であり、図２は図１のＩＩ−ＩＩＩ
断面図である。
【００１４】
１は張線器本体で、略コ字状の枠体２は左右１対の側板３、３とこれら側板３を基部側で接続する基板４とからなる。枠体２は、前記側板３、３間に主軸５を回転可能に支持している。主軸５の断面六角部６に、ベルト７を繰り出し可能に捲き取る捲取ドラム８を嵌めて取り付けている。この捲取ドラム８は軽合金製で、側板９を備えている。
【００１５】
主軸５の基端部に、ベルト７の繰り出しや捲取り操作を行うハンドル１０をラチェット機構１１を介して取り付けている。ハンドル１０にはＦＲＰ製などの電気絶縁性を有する合成樹脂製のケース１２を被せている。前記ラチェット機構１１は、主軸５と一体回転するラチェットホイル１３と、前記ハンドル１０に枢着されてこのラチェットホイル１３に係合する切換爪１４とを備えている。
【００１６】
この切換爪１４を捲取状態にセットすると、ハンドル１０の捲取方向Ｐへの回動が捲取ドラム８にラチェット機構１１及び支持軸５を介して伝わり、ハンドル１０の繰出方向の回動はフリーとなって捲取ドラム８には伝わらない。逆に切換爪１４を繰出状態にセットすると、ハンドル１０の繰出方向への回動が捲取ドラム８に伝わり、ハンドル１０の捲取方向Ｐの回動はフリーとなる。
【００１７】
主軸５の前記ラチェット機構１１と枠体２との間に、ブレーキギヤ１５を取付固定している。又このブレーキギヤ１５に係合して捲取ドラム８の繰出方向への回転を阻止する止爪１６を、枠体２を貫通するボルト１７によって回動可能に取り付けている。前記ブレーキギヤ１５はスプリングワッシャ、ブレーキ板（図示せず）などの作用により、主軸５に制動力を付与している。そしてハンドル１０を捲取方向Ｐに回動したときには主軸５と共にブレーキギヤ１５を回動するが、主軸５に、これを繰出方向に回転させる力が作用したときは、ブレーキギヤ１５及び止爪１６によってこれを制止すべく前記制動力が主軸５に作用する。
【００１８】
枠体２の基板４に、接続金具２２が取り付けられている。この接続金具２２は、電柱などの支持物に連繋されるロープｂが巻回される軸部２３とコ字状金具２４とを備える。
【００１９】
捲取ドラム８から繰出されるベルト７は、移動滑車３４に巻回されている。この移動滑車３４は、図示しない被作業線を掴持する掴線器に接続される。移動滑車３４は、ベルト７が捲取ドラム８に捲き取られると張線器本体１に引き寄せられて被作業線の張力が増加する。ベルト７が繰出されると、移動滑車３４は張線器本体１から離反して被作業線の張力を減少させる。また移動滑車３４は、電気絶縁性を有する電気絶縁筒３９を介して、図示しない掴線器が接続される接続金具４３を備えている。
【００２０】
捲取ドラム８のボルト１７と反対側には、枠体２を貫通するボルト３７が設けられている。ボルト３７には、連結孔６０を有する連結部材６１が固着されている。
【００２１】
図３は張線器の安全装置５９の正面図であり、図４はその平面図である。張線器１００は、安全装置５９を備えている。安全装置５９は連結金具５１を有する。連結金具５１は、連結孔６０に連結されるフック部６４と弾性体の付勢力によりフック部６４を開閉可能な開閉ストッパー６５とを有する開閉環部５３と、開閉環部５３に取り付けられたコ字状金具部５２とを含む。
【００２２】
安全装置５９には、互いに平行な１対の第１リンク５４が設けられている。ベルト７の先端側は、１対の第１リンク５４の一端を貫通する止着ボルト６２に止着されている。安全装置５９は、１対の第２リンク５５を有する。各第２リンク５５の一端は、連結ピン５６により第１リンク５４にそれぞれ連結されている。各第２リンク５５の他端は、枢止ピン６３によりコ字状金具部５２にそれぞれ枢支されている。安全装置５９には、ベルト７の張力が所定値以上になるとせん断力により破断する１対の破断用螺子体５７が設けられる。各破断用螺子体５には雄ネジが形成され、各第１リンク５４のばか穴に挿入され、第２リンク５５の雌ネジが形成されたネジ穴に螺着されている。このようにして、破断用螺子体５７は各第１リンク５４および第２リンク５５を貫通している。各第１リンク５４には、予備の破断用螺子体５８がそれぞれ螺着されている。
【００２３】
このように構成された張線器１００では、電柱等の図示しない支持物に連繋したロープｂを張線器本体１側の接続金具２２に接続し、移動滑車３４側の接続金具４３に図示しない被作業線を掴む掴線器を接続した後、ハンドル１０のＰ方向の回動操作を行う。ハンドル１０のＰ方向の回動操作により、ベルト７を捲取ドラム８に捲き取って移動滑車３４を張線器本体１側に引き寄せ、被作業線の張力を増加させることができる。
【００２４】
被作業線の張力が増加するのに伴い、捲取ドラム８で捲き取られるベルト７により第１リンク５４が引っ張られ、第１リンク５４と第２リンク５５とを貫通する破断用螺子体５７にせん断力が作用する。被作業線の張力が増大してベルト７の張力が所定値以上になると、破断用螺子体５７は前記せん断力により破断する。このため、第２リンク５５はベルト７と一直線になる方向に枢支ピン６３を中心として回動し、第１リンク５４は連結ピン５６の円弧状軌跡に沿ってベルト７と一直線になる方向に運動して、その他端部５４Ａの端面がコ字状金具部５２の端面に当接して停止する。破断用螺子体５７が破断した後も、ハンドル１０のＰ方向の回動操作は続行することができる。
【００２５】
このようにベルト７の張力が所定値以上になり、破断用螺子体５７が破断すると、破断音が発生し、また破断の手ごたえが感じられるので、過大な張力の発生を、聴覚および触覚を通じて容易に認識することができる。また破断用螺子体５７が破断すると第１リンク５４と第２リンク５５とのなす角度が広がるので、過大な張力の発生を、視覚を通じてはっきりと認識することができる。
【００２６】
また予備の破断用螺子体５８を設けているので、破断用螺子体５７が破断した後も、第２リンク５５のネジ穴に残った破断後の破断用螺子体５７を取り除いて予備の破断用螺子体５８を螺着することにより、再度安全装置として使用することができる。また破断用螺子体の材質、太さを選択することにより、破断用螺子体が破断するベルト７の張力の所定値を調整することができる。
【００２７】
本実施の形態では、可撓体としてベルトを使用した例を示したが、ロープ等を使用しても良い。ベルトはワイヤよりも低コストであり、捲取ドラムに整合して捲き取られるので、張力を効率的に与えることができる。
【産業上の利用可能性】
【００２８】
本発明は、電線等の被作業線を張設する張線作業に用いられる張線器に適用することができる。
【図面の簡単な説明】
【００２９】
【図１】本実施の形態に係る張線器の平面図
【図２】図１のＩＩ−ＩＩ断面図
【図３】本実施の形態に係る張線器の安全装置の正面図
【図４】本実施の形態に係る張線器の安全装置の平面図
【符号の説明】
【００３０】
５１  連結金具
５２  コ字状金具部
５３  開閉環部
５４  第１リンク
５５  第２リンク
５６  連結ピン
５７  破断用螺子体
５８  破断用螺子体
５９  安全装置
６０  連結孔
６１  連結部材
６２  止着ボルト
６３  枢止ピン
６４  フック部
６５  開閉ストッパー
【図１】
2006130595.tif 000003
【図２】
2006130595.tif 000004
【図３】
2006130595.tif 000005
【図４】
2006130595.tif 000006